(57)【特許請求の範囲】
【請求項１】
生体電気インピーダンス値を測定するためのインピーダンス測定手段と、該測定された生体電気インピーダンス値を記憶するためのインピーダンス記憶手段と、該測定された生体電気インピーダンス値の推移に基づいて婦人の月周期で現われる体調を判定するための判定手段と、生体電気インピーダンスの推移グラフから特長を抽出したＢＩ値模式図および前記判定された体調を表示する表示手段とを備え、前記表示手段は、前記測定手段による測定中、あるいは、前記判定手段による判定中においては、前記ＢＩ値模式図上をマークが移動する画面を表示することを特徴とする婦人用体調管理装置。
【請求項２】
前記推移グラフの期間が月経から次の月経であることを特徴とする請求項１に記載の婦人用体調管理装置。
【請求項３】
前記体調に関する情報が少なくともデリケート期、ダイエット期、排卵前後期、ＰＭＳ予防期、ＰＭＳ期および次デリケート期のいずれか一つであることを特徴とする請求項１または２に記載の婦人用体調管理装置。
【請求項４】
前記表示手段が更に前記測定した時点でのむくみ度、その体調の日付、及び体重の少なくとも一つを表示することを特徴とする請求項１乃至請求項３のいずれかに記載の婦人用体調管理装置。
【請求項５】
前記表示手段は、更に、前記マークの動きに同期して、体調の期間名、むくみ度を図形表示したむくみ図形の少なくとも１つを表示する請求項１または請求項２に記載の婦人用体調管理装置。
【発明の詳細な説明】
【０００１】
【発明の属する技術分野】
本発明は、排卵日、ＰＭＳ期（Premenstrual Syndrome：月経前症候群）、月経期、妊娠可能期等の婦人の月周期で現れる体調を判定するための婦人用体調管理装置に関する。
【０００２】
【従来の技術】
婦人の月周期で現れる体調は基礎体温と密接な関係を有しており、排卵日を境に基礎体温は低温期から高温期に推移し、月経開始日を境に高温期から低温期に推移するということが知られている。従来、この関係を利用して、婦人用基礎体温計で毎朝起床時に基礎体温の推移を測定し、用紙に表あるいはグラフの形式でマニュアルで記録することにより、婦人の月周期で現れる体調が判定されてきた。
【０００３】
【発明が解決しようとする課題】
この従来の基礎体温の推移に基づく体調判定では、毎日起床時に横臥位の静止した状態で通常約５分間程度の時間をかけて基礎体温を測定しなければならず、これを実際に実施するのは非常に面倒であり、被判定者が測定中に再び眠ってしまい寝過してしまう原因にもなっている。
【０００４】
また、基礎体温の推移に基づく婦人の体調判定では、主にバースコントロールに活用されている排卵日、月経期及び妊娠可能期等を判定することはできるが、近年、婦人の日常生活上の問題として認識が高まっているＰＭＳ症状を判定することはできない。月経開始の７日程前から始まるＰＭＳ期には、多くの婦人が頭痛やイライラ、腹痛、むくみ等の何らかの不快な症状に悩まされており、「自分はＰＭＳ期にあり、ＰＭＳ症状が出ている」と自覚することが、その症状緩和のための有効な一手段であるといわれている。
【０００５】
用紙にマニュアルでグラフの形式で記録された基礎体温の推移から体調の判断をすることは、難しい上に、判断には人によりバラツキが生じる。
【０００６】
本発明の目的は、上述したような従来技術の問題点を解消し、ＰＭＳ期を含む婦人の月周期で現われる体調を誰もが迅速かつ容易に把握可能な婦人用体調管理装置を提供することである。
【０００７】
【課題を解決するための手段】
本発明の一つの観点によれば、生体電気インピーダンス値を測定するためのインピーダンス測定手段と、該測定された生体電気インピーダンス値を記憶するためのインピーダンス記憶手段と、該測定された生体電気インピーダンス値の推移に基づいて婦人の月周期で現われる体調を判定するための判定手段と、生体電気インピーダンスの推移グラフから特長を抽出したＢＩ値模式図および前記判定された体調を表示する表示手段とを備え、前記表示手段は、前記測定手段による測定中、あるいは、前記判定手段による判定中においては、前記ＢＩ値模式図上をマークが移動する画面を表示することを特徴とする婦人用体調管理装置が提供される。
【０００８】
本発明の一つの実施の形態によれば、前記推移グラフの期間が月経から次の月経である。
【０００９】
本発明の別の実施の形態によれば、前記体調に関する情報が少なくともデリケート期、ダイエット期、排卵前後期、ＰＭＳ予防期、ＰＭＳ期および次デリケート期のいずれか一つである。
【００１０】
本発明の一つの実施の形態によれば、前記表示手段が更に前記測定した時点でのむくみ度、その体調の日付、及び体重の少なくとも一つを表示する。
【００１２】
本発明の別の実施の形態によれば、前記表示手段は、更に、前記マークの動きに同期して、体調の期間名、むくみ度を図形表示したむくみ図形の少なくとも１つを表示する。
【００１３】
【発明の実施の形態】
本願出願人は既に特開２００１−７８９７７号の明細書において、生体電気インピーダンス（以下、ＢＩという）測定を行なうことで婦人の月周期で現われる体調を判断することが可能な装置について提案した。この装置ではＢＩ値は基礎体温と密接な関係があり、図２３に示すように基礎体温の低温期には高値を示し、高温期には低値を示すことから、婦人の月周期で現われる体調を判定することが可能である。
【００１４】
本発明の婦人用体調管理装置は、測定・判定中には、飽きさせない表示で被験者を楽しませ、測定結果の表示においては、判定結果を理解させ易くする。
【００１５】
【実施例】
本発明の好適な実施例を図面に基づいて説明する。
【００１６】
図１は、本発明に係る婦人用体調管理装置の第一実施例の外部構成を示す正面図である。図１に示すように、婦人用体調管理装置１０は、体重計付き生体電気インピーダンス計２０と、この体重計付き生体電気インピーダンス計２０に赤外線や電波等による無線通信を介して接続された制御ボックス４０とから構成されている。
【００１７】
本実施例では、体重計付き生体電気インピーダンス計２０と制御ボックス４０とは赤外線や電波等による無線通信を介して相互に接続されているが、例えば通常の電気ケーブルを介して接続されても良い。
【００１８】
体重計付き生体電気インピーダンス計２０の上面には、定電流印加用電極２１ａ、２１ｂ及び電圧測定用電極２２ａ、２２ｂが設けられており、また、制御ボックス４０の前面には、電源ボタン４１ａ、測定ボタン４１ｂ、記録ボタン４１ｃ、月経開始ボタン４１ｅ、決定ボタン４１ｆ、モードボタン４１ｇ、キャンセルボタン４１ｈ、リセットボタン４１ｉ、方向ボタン４１ｊといった一群の操作ボタン、及び、表示部４２が設けられている。なお、方向ボタン４１ｊは、図に示されている通り、→ボタン、←ボタン、↑ボタン、および↓ボタンから成る。
【００１９】
図２は、図１に示した婦人用体調管理装置の機能構成を示すブロック図である。図２に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するための電圧測定回路２４と、被判定者の体重を測定するための体重測定装置２５と、測定された電圧及び体重をＡ／Ｄ変換するためのＡ／Ｄ変換器２８と、無線通信のための通信部２９とが備えられている。
【００２０】
また、制御ボックス４０には、測定開始の指示や月経期間データの入力等のための一群の操作ボタン４１ａから４１ｊを含むデータ入力装置４１と、測定されたＢＩの推移や判定された体調等を表示するための表示部４２と、測定日時等を計時するための時計装置４３と、測定されたＢＩや計時された測定日時等を記憶するための記憶装置４４と、入力装置４１によって入力された月経期間データや測定されたＢＩ及び体重等のデータに基づいて婦人の月周期で現れる体調を判定したり、記憶装置４４への各種データの記憶や表示装置４２への各種データの表示を制御したりするためのＣＰＵ４５と、無線通信のための通信部４６とが備えられている。
【００２１】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計２０と制御ボックス４０とが一体となった構成とされていても良い。
【００２２】
次に、上述したような実施例の婦人用体調測定装置の動作について詳述する。
【００２３】
図３、図４、図６〜図９は、本発明の婦人体調管理装置の動作を示すフローチャートであり、図５は、状態遷移図である。まず、図３を用いて、メインプログラムの動作を説明する。ステップＳ１では、被判定者は電源ボタン４１ａを押下して婦人用体調管理装置１０の電源をオンにする。ステップＳ２では、初期化処理を行なう。初期化処理の詳細は後で説明する。ステップＳ３では、図１０に示すように当月のカレンダーを表示部４２に表示する。３０日の反転表示は、当日を意味する。
【００２４】
次に、方向ボタン４１ｊの←あるいは→ボタン、測定ボタン４１ｂ、モードボタン４１ｇ、月経開始ボタン４１ｅ、↓ボタン、および↑ボタンが押されると、それぞれ、ステップＳ４、Ｓ５、Ｓ６、Ｓ７、Ｓ８およびＳ９に制御は進む。
【００２５】
ステップＳ４では、シークレットカレンダー表示モードになり、月経のデリケート期、ダイエットに適したダイエット期、妊娠し易い排卵前後の期間、ＰＭＳ期の予防期間であるＰＭＳ予防期、ＰＭＳ期等がカレンダーに表示される。詳細は後で説明する。ステップＳ５では、測定モードとなり、生体電気インピーダンス等を測定し、結果を表示する。詳細は後で説明する。ステップＳ６では、モード選択となり、選択したモードの処理を実行する。詳細は後で説明する。
【００２６】
ステップＳ７では、月経開始日をカレンダー上で指定する。ステップＳ８では、前月カレンダーを表示する。ステップＳ９では、次月カレンダーを表示する。
【００２７】
ステップＳ１０では、オートパワーオフタイマーをカウントアップする。このオートパワーオフタイマーは、電源が入った時またはキー操作でリセットされる。ステップＳ１１では、所定時間が経過したかを判定する。経過していない場合は、ステップＳ１０に戻る。ステップＳ１２では、パワーオフする。
【００２８】
次に、図４を用いて、初期化処理（ステップＳ２）を詳細に説明する。この初期化処理は、初めて電源ボタンが押下されるか、リセットボタンが押下された場合のみ処理される。初めて電源がオンしたかの判断は、一般的に行なわれている方法により行なわれる。たとえば、初期化フラッグという変数を用意し、初期化が行なわれた際、このフラッグをセットする。そして、初期化処理を行なう一番最初のステップで、このフラッグをテストし、もし、セットされていれば、初期化処理を行なわない。
【００２９】
ステップＳ２１において、内部変数を初期化する。ステップＳ２２において、内部時計の日時を現在の日時に設定する。ステップＳ２３において、最終月経開始日および月経周期日数を入力する。
【００３０】
次に、図５の状態遷移図を用いて、シークレットカレンダー表示処理（ステップＳ４）を説明する。このモードを意味するアイコン等の説明情報は表示されない。これは、このモードで表示される情報がシークレット性の高いものであるからである。図３において、当月（ここでは、１２月）のカレンダーを表示するステップＳ３実行後、←ボタンが押下されると、図５に示すように状態ＳＴ７６に遷移する。この時、図１１（ｂ）に示すように、「[排卵前後]を表示します。」というメッセージが表示部４２に表示された後、当月の排卵前後に該当する日付が反転・点滅表示される。この状態で↑ボタンを押下すると、状態ＳＴ７３に遷移し、図１１（ａ）に示すように次月（ここでは、１月）の排卵前後に該当する日付が反転・点滅表示される。状態ＳＴ７６で↓ボタンを押下すると、状態ＳＴ７９に遷移し、図１１（ｃ）に示すように前月（ここでは、１１月）の排卵前後に該当する日付が反転・点滅表示される。状態ＳＴ７４では、ダイエット期を表示する。カレンダー上のダイエット期に該当する日が反転・点滅表示される。←ボタンが押下されると、状態ＳＴ７５に遷移し、デリケート期に該当する日が反転・点滅表示される。この状態で→ボタンが押下されると、状態ＳＴ７４に遷移する。他の状態も同様の遷移をする。状態ＳＴ７１では、次月のダイエット期を表示する。状態ＳＴ７２では、次月のデリケート期を表示する。状態ＳＴ７７では、前月のダイエット期を表示する。状態ＳＴ７８では、前月のデリケート期を表示する。→ボタン、←ボタン、↑ボタンあるいは↓ボタンが押下されずに所定時間が経過すると、パワーオフする。
【００３１】
次に，図６を用いて、測定処理（ステップＳ５）を詳細に説明する。ステップＳ４１では、図１２に示すように「測定ボードにお乗りください」というメッセージが、表示部４２に点滅表示される。同時に日付と時刻が上部に表示される。キャンセルボタン４１ｈを押下すれば、ステップＳ３に進む。
【００３２】
ステップＳ４２では、図１３に示すように体重計付き生体電気インピーダンス計２０の上に足型の絵が表示部４２に所定の時間、点滅表示される。この表示は、測定が正確に行なわれるように、測定ボードの乗り場所を明確にわかるようにするために行なう。３０秒以内に、被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計２０に素足で乗ると、体重測定装置２５は重量を検知して被判定者の体重の測定を開始する。続いて、ステップＳ４３では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。判定結果が表示されるまでは、図１４に示すようにＢＩ値模式図をＣＰＵ４５は表示部４２に表示する。このＢＩ値模式図は、前述した図２３に示された月経から次の月経までのＢＩ値の推移グラフから特長を抽出したものである。ＢＩ値模式図上を○が左から右に１サイクル５〜６秒で移動する。○の動きと同期してデリケート期、ダイエット期等の期間名も変わる。さらに、右上のむくみ度の箇所で、図１５に示される「むくみ度アニメーション」が○の動きと同期して表示される。これらには、測定中の待ち時間を感じさせないあるいは飽きさせない等の効果がある。また、月経から月経までの婦人のＢＩ値模式図を表示することにより、被測定者がＢＩの変化を学習することができる。ＢＩ模式図の○の動きと同期して、婦人用体調の５つの期間の名称を表示させることで、被測定者はどのように５つの期間が変わっていくのかをより明確にわかるようになった。さらに、○の動きと同期して、むくみアニメーションが表示されるので、被測定者は、どの期間でむくみ易いかを学習できる。ステップＳ４４では、ステップＳ４で測定されたＢＩが、体重に基づいて補正される。これにより、体重変化の影響が除去された体重補正ＢＩが算定される。
【００３３】
ステップＳ４５では、ＣＰＵ２５において、上述したようなＢＩと婦人の月周期で現れる体調との関係に基づいて、ステップＳ４４で得られた今回測定された体重補正ＢＩや記憶装置２４に記憶されている前回までに測定された体重補正ＢＩ、同じく記憶装置２４に記憶されている月経期間データ等から次のようにして体調が判定される。図３のステップＳ７で指定された生理開始日データの日にちを生理開始日とする。生理開始日から一週間を第一の期間（デリケート期）とする。その次の日から過去の月周期の2週間目の平均ＢＩ値より４％低いＢＩ値が測定される前日までを第二の期間（ダイエット期）とする。その次の日から、過去のデータから推測される次の生理開始予定日の一週間前迄を第三の期間（ＰＭＳ予防期）とする。次の日から次の生理開始日データが入力される日までを第四の期間（ＰＭＳ期）とする。図２３のタイプＡ、ＢまたはＣのいずれのタイプかを判定し、ＰＭＳ症状の発現を判定する。タイプＡの場合は、ＰＭＳ症状の発現を予見する。排卵予定日は、過去のデータから推測される次の生理予定日から遡って、１４日目とする。尚、排卵日は、好調期の最後の日なので、この日の翌日に至ると、前述した妊娠可能予定日は補正される。排卵日とその前後２日間の５日間を第五の期間（排卵前後期）とする。
【００３４】
以上の判定には、過去のデータが必要なので、少なくとも過去の一月周期のデータが必要となる。このデータが無い場合には、表示部４２に「データ不足のため今日の体調リズムを表示できません」といった内容のメッセージを表示する。
【００３５】
次にＰＭＳ期に特徴的な「むくみ」レベルの判定方法について説明する。この期間の過去の平均ＢＩ値を基準として、１％以下の減少が生じたら、むくみレベル１と判定する。以下、１％減少する毎にむくみレベルは一つづつ上がる。
【００３６】
ステップＳ４６では、正常に測定および判定が完了すると、判定された体調が表示される。詳細は後で説明する。ステップＳ４７では、→ボタンが押下されるか、所定時間が経過すると、表示部４２に「記録ボタンを押し、データを記録してください」というメッセージが表示される。記録ボタン４１ｃを押下すると、今回測定された体重補正ＢＩや体重等の値が記憶装置４４に記憶される。メインプログラムに戻る。
【００３７】
次に、図７を用いて、体調表示処理（ステップＳ４６）を詳細に説明する。ステップＳ１４１では、図１６に示すようにＢＩ模式図上の●が測定したその日の位置に点滅しながら止まり、同時にその日の体調の期間名である「ＰＭＳ予防」が点滅表示される。表示画面の左隅および右隅の「Ｍ」は、生理を意味する。ステップＳ１４３では、→ボタンが押下されるか、所定時間が経過すると、図１７に示すように体調に対応するアドバイスが表示される。体調の期間名「ＰＭＳ予防」は、固定表示される。ＰＭＳ予防期のアドバイスの例としては、「もうすぐＰＭＳ。情緒不安定などの心の症状は、とにかく楽しんで予防を！」がある。このアドバイスにより被験者が体調リズムの各期間における症状や状態に対して、対策または予防が行なえ、そして、使用を続けて行くことでそれらを学習し、前もって対策または予防が可能となる。また、本を読むことなく、その期間に適切なアドバイスを得ることができ、本を探して読む暇のない人には非常に助けとなる。むくみ度は、値のデジタル表示と図形表示が交互に表示部４２に現われる。下部には、体重が表示される。ステップＳ１４４では、→ボタンが押下されるか、所定時間が経過すると、図１８に示されるように、この期間にお勧めの運動、食事、美容等が表示される。この図は、お勧めの運動がストレッチ、お勧めの食事がかぼちゃであることを示している。この期間では、お勧めの美容はないが、月経期では、「お化粧はカル目に」等が表示される。
【００３８】
次に、モードボタン４１ｇが押下された時に処理されるモード選択処理（ステップＳ６）を詳細に説明する。モードボタン４１ｇが押下されると、図１９に示すように、モード選択画面が表示される。↑あるいは↓ボタンによりモードを選択すると、そのモードの文字が反転表示される。決定ボタン４１ｆを押下することにより、各モードの処理が行なわれる。この図においては、ＤＡＴＡモードが選択されている。
【００３９】
図８のフローチャートを用いて、ＤＡＴＡモードの処理を説明する。このモードは、指定されたグラフ、該当日を表示する機能を有する。ステップＳ８１では、図２０に示すように項目選択画面が表示される。ステップＳ８２では、被判定者は、↓ボタンあるいは↑ボタンを用いて、スクロール選択し、決定ボタン４１ｆを押下して決定する。項目としては、「体重グラフ」、「ＢＩグラフ」、「不正出血日」、「ＳＥＸ日」、「月経周期」等がある。ステップＳ８３では、ステップＳ８２で指定した項目が「グラフ」の場合は、グラフを表示される。「ＢＩグラフ」が指定された場合には、図２１に示すようにＢＩの日毎の変移がグラフ表示される。このグラフにより、被験者は、体調リズムによってＢＩ値はどう変化するのか、また、被験者自身の体調リズムがどうなっているのかを知ることができる。項目が「日」の場合は、該当する日を含む月のカレンダーが表示され、該当日は反転表示される。項目として、「不正出血日」が指定された場合の画面を図２２に示す。この実施例では、該当する日がカレンダー上に表示されるが、ただ単に日付を文字で表示してもよい。→ボタンを押下するか所定時間が経過すると、ステップＳ８１に戻る。キャンセルボタン４１ｈが押下されると、ステップＳ３に戻る。
【００４０】
次に、図９のフローチャートを用いて、ＤＩＡＲＹモードの処理を説明する。このモードは、該当日を指定あるいは訂正する機能を有する。ステップＳ９１では、図２０と同様に項目選択画面が表示される。ステップＳ９２では、被判定者は、↓ボタンあるいは↑ボタンを用いて、スクロール選択し、決定ボタン４１ｆを押下して決定する。選択できる項目としては、「不正出血日」、「生理開始日」、「ＳＥＸ日」等がある。ステップＳ９３では、図２２と同様なカレンダーが表示される。ステップＳ９４では、↓、↑、←、あるいは、→ボタンで点滅している□カーソルを移動し、選択項目に該当する日を選択し、決定ボタン４１ｆで決定する。ステップＳ９１に戻る。
【００４１】
尚、上述した第一実施例及び第二実施例は両者共に両足間のＢＩを測定するようにされたものであるが、両手間もしくは手足間のＢＩを測定するようにされたものであっても良い。
【００４２】
また、複数名の測定データを記憶可能とし、被判定者を選択可能とするための選択キーを設けるなどして、１名だけでなく複数名が共同で使用可能な装置としても良い。
【００４３】
そして、また、測定されたＢＩを利用して、婦人の体調判定と共に体脂肪率の算出を可能とし、結果を表示部に表示するようにしても良い。更に、測定された体温や体重を、婦人の月周期で現れる体調を判定するためのデータとして利用するだけでなく、体温データや体重データとして表示部に表示するようにしても良く、これにより、本装置１台で従来の体温管理や体重管理、体脂肪管理を含む広範な体調管理が可能となる。
【００４４】
【発明の効果】
以上説明したように、本発明の婦人用体調管理装置では、判定された体調が模式的図で表示され、更に、測定日が月経周期のどの位置にあるかが表示されているので、被判定者は体調変化をひとつの周期として視覚的に捉えることが出来る。
【図面の簡単な説明】
【図１】本発明に係る婦人用体調管理装置の第一実施例の外部構成を示す正面図である。
【図２】図１に示した婦人用体調管理装置の機能構成を示すブロック図である。
【図３】本発明に係る婦人の月周期で現れる体調を判定するための手順を示すフローチャートである。
【図４】初期化処理の手順を示すフローチャートである。
【図５】グラフ表示処理の手順を示す状態遷移図である。
【図６】測定処理の手順を示すフローチャートである。
【図７】体調表示の手順を示すフローチャートである。
【図８】ＤＡＴＡモード処理の手順を示すフローチャートである。
【図９】ＤＩＡＲＹモード処理の手順を示すフローチャートである。
【図１０】本発明に係る装置の表示部の初期画面を示す図である。
【図１１】シークレットカレンダー表示を説明する図である。
【図１２】測定の開始を示す画面を説明する図である。
【図１３】測定ボードへの乗り方を示す画面を説明する図である。
【図１４】測定途中の表示部の画面を説明する図である。
【図１５】むくみアニメーションを説明する図である。
【図１６】体調の判定結果の画面を説明する図である。
【図１７】アドバイスのメッセージの画面を説明する図である。
【図１８】お勧めの運動・食事のメッセージの画面を説明する図である。
【図１９】モード選択画面を説明する図である。
【図２０】項目選択画面を説明する図である。
【図２１】ＢＩ値の月内変化をグラフ表示する画面を説明する図である。
【図２２】「不正出血日」をカレンダー表示する画面を説明する図である。
【図２３】体重補正ＢＩと婦人の月周期で現われる体調と基礎体温の推移を示す図である。
【符号の説明】
１０    婦人用体調管理装置
２０    体重計付き生体電気インピーダンス計
２１ａ、２１ｂ  定電流印加用電極
２２ａ、２２ｂ  電圧測定用電極
２３    高周波定電流回路
２４    電圧測定回路
２５    体重測定装置
４０    制御ボックス
４１    データ入力装置
４１ａ  電源ボタン
４１ｂ  測定ボタン
４１ｃ  記録ボタン
４１ｅ  生理ボタン
４１ｆ  決定ボタン
４１ｇ  選択ボタン
４１ｈ  キャンセルボタン
４１ｉ  リセットボタン
４１ｊ  方向ボタン
４２    表示部
４３    時計装置
４４    記憶装置
４５    ＣＰＵ
【図１】
0004009071.tif 000002
【図２】
0004009071.tif 000003
【図３】
0004009071.tif 000004
【図４】
0004009071.tif 000005
【図５】
0004009071.tif 000006
【図６】
0004009071.tif 000007
【図７】
0004009071.tif 000008
【図８】
0004009071.tif 000009
【図９】
0004009071.tif 000010
【図１０】
0004009071.tif 000011
【図１１】
0004009071.tif 000012
【図１２】
0004009071.tif 000013
【図１３】
0004009071.tif 000014
【図１４】
0004009071.tif 000015
【図１５】
0004009071.tif 000016
【図１６】
0004009071.tif 000017
【図１７】
0004009071.tif 000018
【図１８】
0004009071.tif 000019
【図１９】
0004009071.tif 000020
【図２０】
0004009071.tif 000021
【図２１】
0004009071.tif 000022
【図２２】
0004009071.tif 000023
【図２３】
0004009071.tif 000024